(57)【要約】【課題】  比較的重量物の多い台所用品等の被保持物を棚パーツで保持するために必要な強度を有しつつ、機能上かつデザイン上の一体感を保つことのできる台所用棚支持枠とそれを用いた台所用棚ユニットを提供する。【解決手段】  台所用棚支持枠１００は、流し台１の天板部２の後方上方に位置する台所の壁面に固定されるパネル部１０と、棚パーツ４０，５０，６０，７０を支持するためのフレーム部２０と、パネル部１０とフレーム部２０とを一体連結するための左右の連結部３０，３０とを備えている。フレーム部２０は、パネル部１０の左右端部で上下方向中途部から前方側へ延出するとともに、前方側を迂回して壁面と平行状に長く延出する水平ループ状に形成されている。左右の連結部３０，３０は、パネル部１０の左右端で上下方向に沿って壁面と直交する方向に突出形成されている。【選択図】  図１
2005312817.tif 000002
【特許請求の範囲】
【請求項１】
台所の壁面と平行状の取付面を有し、その取付面によって壁面に固定されるパネル部と、
そのパネル部の上下方向に沿って壁面からそれぞれ突出形成される左右のサイドエッジ部と、
そのサイドエッジ部から延出するとともに、前方側を迂回して水平ループ状に形成され、台所用品等の被保持物を保持する棚パーツを支持するためのフレーム部と、を備え、
前記左右のサイドエッジ部とフレーム部とが一体的に構成されることを特徴とする台所用棚支持枠。
【請求項２】
台所の壁面と平行状の取付面を有し、その取付面によって壁面に固定されるパネル部と、
そのパネル部の左右端部で、上下方向に沿って壁面と直交する方向にそれぞれ突出形成される左右のサイドエッジ部と、
そのサイドエッジ部から延出するとともに、前方側を迂回して水平ループ状に形成され、台所用品等の被保持物を保持する棚パーツを支持するためのフレーム部と、を備え、
それらパネル部、左右のサイドエッジ部及びフレーム部が一体的に構成されることを特徴とする台所用棚支持枠。
【請求項３】
台所の壁面と平行状の取付面を有し、その取付面によって壁面に固定されるパネル部と、
そのパネル部から延出するとともに、前方側を迂回してループ状に形成され、台所用品等の被保持物を保持する棚パーツを支持するためのフレーム部と、を備え、
それらパネル部とフレーム部とが一体的に構成されることを特徴とする台所用棚支持枠。
【請求項４】
前記フレーム部とパネル部とによって囲まれた内部空間が、前記棚パーツを１又は複数収容することのできるループ状棚受領域を構成している請求項１ないし３のいずれか１項に記載の台所用棚支持枠。
【請求項５】
前記フレーム部は、上下方向に所定幅を有する帯板の曲げ加工によりループ状に形成されている請求項１ないし４のいずれか１項に記載の台所用棚支持枠。
【請求項６】
前記パネル部を壁面に固定するための締結部材が、前記フレーム部を構成する帯板を前記パネル部に正面投影した領域内に配置されている請求項５に記載の台所用棚支持枠。
【請求項７】
前記帯板のループ内周面側に沿って、上下方向の幅をその帯板よりも小とされた帯板側中空状フレームが固定される一方、
前記パネル部の前面側には、前記帯板側中空状フレームを正面投影した領域とほぼ一致させてパネル側中空状フレームが固定され、
それら両中空状フレームは、それらに跨って掛け渡される前記棚パーツのフランジ部を下方から受け止め支持する請求項５又は６に記載の台所用棚支持枠。
【請求項８】
前記締結部材は、前記パネル側中空状フレームの上下方向の幅内に配置され、前記パネル部を壁面に固定している請求項７に記載の台所用棚支持枠。
【請求項９】
請求項１ないし８のいずれか１項に記載の台所用棚支持枠と、
前記フレーム部とパネル部とによって囲まれたループ状棚受領域に収容された１又は複数の前記棚パーツと、
を備えることを特徴とする台所用棚ユニット。
【請求項１０】
前記ループ状棚受領域は、左右方向に規格化された所定の幅で複数の区画に分割される一方、
前記棚パーツはその規格化された左右方向の幅を有し、異なる区画への移動又は異なる棚パーツとの交換が可能である請求項９に記載の台所用棚ユニット。
【請求項１１】
前記棚パーツは、調味料・食材等の被保持物を載置するための孔なしの棚、食器・調理用鍋等の被保持物を載置して水切りするための孔あきの棚、及び調理用小物・布巾等の被保持物を吊り下げ保持又は引掛け保持するためのすのこ状又は桟状の棚のうち少なくともいずれかを含む請求項９又は１０に記載の台所用棚ユニット。
【発明の詳細な説明】
【技術分野】
【０００１】
この発明は、台所用棚支持枠とそれを用いた台所用棚ユニットに関する。
【背景技術】
【０００２】
本出願人は、台所の壁面へのステンレス鋼等の金属材料製化粧パネルの取り付けと、そのパネルへの被取付体の取り付けとの両方の機能を兼ね備えたパネル用取付具を提案した（特許文献１参照）。これによれば、パネル用取付具によってパネルと被取付体とをともに壁面へ取り付けることができるので、比較的軽量で小型のラック、ハンガー、照明器具等を容易に取り付けることができる。
【０００３】
【特許文献１】特許第３１３８６７２号公報
【０００４】
ところで、台所の壁面へは、例えば食器・調理用鍋等の比較的重量のある台所用品を載置するために、棚等を取り付ける場合もある。このような重量物のための棚を台所の壁面に取り付けるときには、上記した軽量物とは異なり、棚を支持する枠体（フレーム）にはかなりの強度が必要となる。このため、棚支持用枠体や化粧パネルは、強度を確保するための無機的な構造・形状となりがちで、機能上あるいはデザイン上の一体感、統一感を付与することは困難であった。また、化粧パネルの壁面への取付強度を向上させようとすると、ねじ等の締結部材を多数用いる必要があり、これらの締結部材の露出によってもデザイン上の一体感が損なわれやすい。
【発明の開示】
【発明が解決しようとする課題】
【０００５】
本発明の課題は、比較的重量物の多い台所用品等の被保持物を棚パーツで保持するために必要な強度を有しつつ、機能上かつデザイン上の一体感を保つことのできる台所用棚支持枠とそれを用いた台所用棚ユニットを提供することにある。
【課題を解決するための手段及び発明の効果】
【０００６】
上記課題を解決するために、本発明に係る台所用棚支持枠は、
台所の壁面と平行状の取付面を有し、その取付面によって壁面に固定されるパネル部と、
そのパネル部の上下方向に沿って壁面からそれぞれ突出形成される左右のサイドエッジ部と、
そのサイドエッジ部から延出するとともに、前方側を迂回して水平ループ状に形成され、台所用品等の被保持物を保持する棚パーツを支持するためのフレーム部と、を備え、
前記左右のサイドエッジ部とフレーム部とが一体的に構成されることを特徴とする。
【０００７】
また、上記課題を解決するために、本発明に係る台所用棚支持枠は、
台所の壁面と平行状の取付面を有し、その取付面によって壁面に固定されるパネル部と、
そのパネル部の左右端部で、上下方向に沿って壁面と直交する方向にそれぞれ突出形成される左右のサイドエッジ部と、
そのサイドエッジ部から延出するとともに、前方側を迂回して水平ループ状に形成され、台所用品等の被保持物を保持する棚パーツを支持するためのフレーム部と、を備え、
それらパネル部、左右のサイドエッジ部及びフレーム部が一体的に構成されることを特徴とする。
【０００８】
さらに、上記課題を解決するために、本発明に係る台所用棚支持枠は、
台所の壁面と平行状の取付面を有し、その取付面によって壁面に固定されるパネル部と、
そのパネル部から延出するとともに、前方側を迂回してループ状に形成され、台所用品等の被保持物を保持する棚パーツを支持するためのフレーム部と、を備え、
それらパネル部とフレーム部とが一体的に構成されることを特徴とする。
【０００９】
これらの台所用棚支持枠において、ループ状のフレーム部は左右のサイドエッジ部及び／又はパネル部に一体的に接続されるため、容易に強度アップを図れるとともに、これらと機能上・デザイン上の一体感を保つことができ、清潔感や高級感を損なうこともない。なお、左右のサイドエッジ部によってパネル部とフレーム部とを一体連結する場合には、左右のサイドエッジ部によって更なる強度アップを図れ、また、上下方向（縦方向）のサイドエッジ部と左右方向（横方向）のフレーム部との交差によってすっきりしたデザインとなる。また、フレーム部とサイドエッジ部及び／又はパネル部とを同等の材質の金属（例えばステンレス鋼）で一体的に構成する場合には、強度と一体感がさらに向上する。
【００１０】
そして、このような台所用棚支持枠では、フレーム部とパネル部とによって囲まれた内部空間が、棚パーツを１又は複数収容することのできるループ状棚受領域を構成することになる。したがって、ループ状のフレーム部を左右方向に延長することによって、強度を低下させることなくループ状棚受領域に収納する棚パーツの数を増やせるので、多種多様な台所用品等に適用することができる。
【００１１】
また、上下方向に所定幅を有する帯板の曲げ加工によりフレーム部をループ状に形成することが望ましい。これによって、フレーム部（ループ状棚受領域）を安価にかつ精度よく形成できる。
【００１２】
その際、フレーム部を構成する帯板をパネル部に正面投影した領域内に、パネル部を壁面に固定するための締結部材を配置すれば、棚パーツをフレーム部（ループ状棚受領域）にセットしたときに、その棚パーツによって締結部材を覆い隠すことができる。したがって、棚パーツをセットして使用するとき、締結部材の露出によってデザイン上の一体感を損ねたり怪我をしたりするおそれが小さくなる。
【００１３】
さらに、帯板のループ内周面側に沿って、上下方向の幅をその帯板よりも小とされた帯板側中空状フレームを固定し、パネル部の前面側には、帯板側中空状フレームを正面投影した領域とほぼ一致させてパネル側中空状フレームを固定し、両中空状フレームで、それらに跨って掛け渡される棚パーツのフランジ部を下方から受け止め支持することができる。この場合、棚パーツのフランジ部は帯板側中空状フレーム及びパネル側中空状フレームによって受け止め支持されるので、ブロック状フレームで支持される場合に比べて重量軽減及びコスト削減を図れるとともに、平板状フレームで支持される場合に比べて強度低下を抑制することができる。なお、中空状フレームとして、丸パイプ・角パイプ等のパイプ材や、Ｈ型・Ｉ型・コの字型等のアングル材を用いることができる。
【００１４】
このとき、締結部材が、パネル側中空状フレームの上下方向の幅内に配置されてパネル部を壁面に固定するようにすると、締結部材はフレーム部を構成する帯板等によって隠され外部から一層見えにくくなる。なお、締結部材がパネル側中空状フレームの中空部内に配置される場合には、締結部材はパネル側中空状フレームの中に収納されることになるので、怪我に対する安全性がさらに向上する。また、パネル側中空状フレームとしての角パイプの前方側の壁部を少なくとも部分的に切除し、その切除部を利用して締結部材としてのねじの頭部を締め付け可能とする場合には、ドライバ、スパナ、インパクトレンチ等の通常用いられる締付工具によってパネル部を壁面に固定することができる。
【００１５】
したがって、上記課題を解決するために、本発明に係る台所用棚ユニットは、
以上で述べたような台所用棚支持枠と、
フレーム部とパネル部とによって囲まれたループ状棚受領域に収容された１又は複数の棚パーツと、
を備えることを特徴とする。
【００１６】
このように、フレーム部とサイドエッジ部及び／又はパネル部とによって、必要な強度を有し機能上・デザイン上の一体感を保つループ状棚受領域を構成し、このループ状棚受領域にセットされた棚パーツによって比較的重量物の多い台所用品等の被保持物を安全に保持できる。また、ループ状のフレーム部を左右方向に延長すれば、強度を低下させることなくループ状棚受領域に収納する棚パーツの数を増やせるので、多種多様な台所用品等に適用することができる。
【００１７】
このとき、ループ状棚受領域は、左右方向に規格化された所定の幅で複数の区画に分割され、棚パーツはその規格化された左右方向の幅を有し、異なる区画への移動又は異なる棚パーツとの交換を可能とする。これによって、パネル部及びフレーム部によって形成されるループ状棚受領域と、そのループ状棚受領域にセットされる棚パーツとが、あたかもブロック玩具のように自由に組み合わせて用いられ、システムキッチンとしての機能を発揮できる。
【００１８】
例えば、棚パーツは、調味料・食材等の被保持物を載置するための孔なしの棚、食器・調理用鍋等の被保持物を載置して水切りするための孔あきの棚、及び調理用小物・布巾等の被保持物を吊り下げ保持又は引掛け保持するためのすのこ状又は桟状の棚のうち少なくともいずれかを含むようにしてもよい。
【発明を実施するための最良の形態】
【００１９】
以下、この発明の実施の形態を図面に示す実施例を参照しつつ説明する。図１は本発明に係る台所用棚支持枠を含む台所用棚ユニットの一例を示す斜視図である。図２は台所用棚支持枠の全体図を示し、図３は図２のＡ部詳細図、Ｂ部詳細図及びＣ−Ｃ断面図である。図１に示すように、台所用棚支持枠１００は、流し台１の天板部２の後方上方に位置する台所の壁面（又はその壁面に固定された固定板）Ｗ（図３（ｃ）参照）に固定されるパネル部１０と、後述する棚パーツ４０，５０，６０，７０を支持するためのフレーム部２０と、パネル部１０とフレーム部２０とを一体連結するための左右の連結部３０，３０（サイドエッジ部）とを備えている。したがって、このような台所用棚支持枠１００のパネル部１０とフレーム部２０とによって囲まれたループ状棚受領域Ｒに複数の棚パーツ４０，５０，６０，７０が収容されて、台所用棚ユニット２００が構成される。
【００２０】
パネル部１０は、台所の壁面Ｗと平行状の取付面１１を有し、その取付面１１によって壁面Ｗに固定されている。取付面１１の上下端部は、後方側へほぼ９０°折り曲げられて上下の固定面１２，１２が形成されている。また、フレーム部２０は、パネル部１０の左右端部で上下方向中途部から前方側へ延出するとともに、前方側を迂回して壁面Ｗと平行状に長く延出する水平ループ状に形成されている。さらに、左右の連結部３０，３０は、パネル部１０の左右端で上下方向に沿って壁面Ｗと直交する方向に突出形成されている。
【００２１】
これらのパネル部１０、フレーム部２０及び左右の連結部３０，３０は、同じ材質の金属（例えばステンレス鋼）で一体的に構成され、少なくとも前方側に位置する面（調理者に対向する面）には研磨仕上げ（例えばチタン風研磨）を施し、剥き出しの金属面のような自然の光沢・風合いを発生するようにしている。また、流し台１の引出し３に固定された把手４は、パネル部１０、フレーム部２０及び左右の連結部３０，３０と同じ材質の金属（例えばステンレス鋼）で一体的に構成されている。この把手４は、引出し３の左右端部で上端部から前方側へ延出するとともに、前方側を迂回して壁面Ｗと平行状に長く延出する水平ループ状に形成されている。把手４の少なくとも前方側に位置する面（調理者に対向する面）にも研磨仕上げ（例えばチタン風研磨）を施し、剥き出しの金属面のような自然の光沢・風合いを発生するようにしている。そして、上方のフレーム部２０と下方の把手４とは正面（前面）からみて平行状（水平状）に配置され、左右方向にほぼ同じ長さを有しているので、あたかも２本のレールのようにくっきりと浮かび上がって見え、重厚感、高級感が一層高められている。
【００２２】
フレーム部１０とパネル部２０とによって囲まれた内部空間にループ状棚受領域Ｒが形成され、このループ状棚受領域Ｒに棚パーツ４０，５０，６０，７０が複数（例えば合計５枚）収容されている。なお、棚パーツ４０，５０，６０，７０は、フレーム部２０等で支持され、調味料・食器・調理用鍋等の比較的重量のある台所用品を載置したり引掛けたりして保持するための棚である。
【００２３】
図２に示すように、フレーム部２０は、上下方向に所定幅を有する帯板の曲げ加工によりループ状に形成され、その左右両端部が連結部３０，３０と溶接等の接合手段によって、あるいは一体成形によって、一体連結されている。また、図３（ｂ）に示すように、パネル部１０の取付面１１と左右の連結部３０，３０の対向面（内面）３１，３１とに跨って、パネル部１０と連結部３０，３０との突き合わせ部に裏側（壁面Ｗ側）から溶接（例えばスポット溶接）Ｙが施され、パネル部１０と連結部３０，３０とが一体連結されている。これによって、パネル部１０とフレーム部２０と連結部３０，３０とが一体的に構成されて台所用棚支持枠１００となる。
【００２４】
図２（ｂ）に示すように、フレーム部を構成する帯板２０をパネル部１０に正面投影した領域内に、パネル部１０を壁面Ｗに固定するための固定ねじ１３（締結部材）が、帯板２０の長手方向に沿って所定ピッチで複数（例えば１１個）配置されている。
【００２５】
具体的には、図３（ｃ）に示すように、帯板２０のループ内周面側に沿って、上下方向の幅をその帯板よりも小とされた帯板側角パイプ２１（帯板側中空状フレーム）が固定されている。一方、パネル部１０の前面側には、帯板側角パイプ２１を正面投影した領域とほぼ一致させてパネル側角パイプ１４（パネル側中空状フレーム）が固定されている。したがって、棚パーツ４０，５０，６０，７０のフランジ部４１，５１，６１，７１が、帯板側角パイプ２１とパネル側角パイプ１４とに跨って掛け渡され、角パイプ２１，１４上面で下方から受け止め支持される。このように、棚パーツ４０，５０，６０，７０のフランジ部４１，５１，６１，７１が中空状の角パイプ２１，１４で受け止め支持されるので、強度低下を抑制しつつ重量軽減及びコスト削減を図れる。
【００２６】
固定ねじ１３は、パネル側角パイプ１４の中空部内に配置され、パネル側角パイプ１４の後方側の壁部１４ａとパネル部１０とを壁面Ｗに締付・固定している。パネル側角パイプ１４の前方側の壁部１４ｂに円形状の貫通孔１５が開口され、固定ねじ１３の頭部がその貫通孔１５（切除部）を利用して締め付け可能とされている。このように、棚パーツ４０，５０，６０，７０をフレーム部２０（ループ状棚受領域Ｒ）にセットしたときに、棚パーツ４０，５０，６０，７０によって固定ねじ１３を覆い隠すことができるので、デザイン上の一体感を損ねたり怪我をしたりすることがない。また、固定ねじ１３はパネル側角パイプ１４の中に収納されているので、怪我に対する安全性が一層高い。さらに、貫通孔１５から電動ドリル等の穴あけ工具によって壁面Ｗに穴をあけ、ドライバ、スパナ、インパクトレンチ等の締付工具によって固定ねじ１３を締め付け、パネル部１０を壁面Ｗに固定することができる。
【００２７】
図２（ａ）に戻り、帯板側角パイプ２１とパネル側角パイプ１４とは、ループ状棚受領域Ｒの長手方向（左右方向）複数ヶ所（例えば４ヶ所）において、前後方向に配置される連結角パイプ２２（連結用中空状フレーム）の両端部と、溶接等の接合手段によって連結・固定されている。それぞれの連結角パイプ２２は、ループ状棚受領域Ｒを左右方向に規格化された所定の幅Ｌで複数（例えば３個）の区画に分割する。左右方向両端部に位置する連結角パイプ２２は、さらに、ループ状棚受領域Ｒを、規格幅Ｌ毎に区画される領域（以下、規格化領域という）Ｒ１と、規格化領域Ｒ１の左右両側に形成され（残され）、規格化領域Ｒ１の範囲外の領域（以下、非規格化領域という）Ｒ２とに仕切る。
【００２８】
したがって、棚パーツ４０，５０，６０，７０のフランジ部４１，５１，６１，７１は、帯板側角パイプ２１，パネル側角パイプ１４，連結角パイプ２２の上面で下方から受け止め支持される。このように、棚パーツ４０，５０，６０，７０のフランジ部４１，５１，６１，７１が中空状の角パイプ２１，１４，２２で受け止め支持されるので、強度低下の抑制と重量軽減及びコスト削減とが図れる。このうち、規格化領域Ｒ１にセットされる規格化棚パーツ４０，５０，６０は規格幅Ｌを有し、異なる区画への移動又は異なる規格化棚パーツ４０，５０，６０との交換が可能である（図１参照）。一方、非規格化領域Ｒ２にセットされる非規格化棚パーツ７０の左右方向幅Ｌ’は、ループ状棚受領域Ｒの左右方向全幅と規格幅Ｌとに応じて定められる。なお、連結角パイプ２２は、ループ状棚受領域Ｒが変形しないように帯板側角パイプ２１とパネル側角パイプ１４とを強固に連結する機能と、ループ状棚受領域Ｒを規格化領域Ｒ１と非規格化領域Ｒ２とに分割する機能あるいは規格化領域Ｒ１を規格幅Ｌの区画に分割する機能とを有している。
【００２９】
次に、具体的な棚パーツの例を順次説明する。図４は、規格化棚パーツとしての無孔棚４０（孔なし棚）を示すものである。無孔棚４０は、上部板４２と下部容器４３とを溶接等で接合して、全体がステンレス鋼等の金属板製で扁平容器状に形成されている。上部板４２は、外周部にフランジ部４１を有する矩形状に形成されている。下部容器４３は、矩形状の底部４３ａと、底部４３ａの周縁に沿って立ち上がる立ち上がり壁４３ｂと、立ち上がり壁４３ｂの上縁から外側へ向けて底部４３ａと平行状（水平状）に一体形成された鍔部４３ｃとを有する。下部容器４３の鍔部４３ｃは、上部板４２のフランジ部４１と接合・密閉されてフランジ部４１の一部をなす。無孔棚４０は、規格化領域Ｒ１（図２参照）にセットされ、調味料・食材等の比較的重量のある台所用品を載置して保持するために使用される（図１参照）。
【００３０】
図５及び図６は、規格化棚パーツとしての有孔棚５０（孔あき棚；図１参照）を示すものである。有孔棚５０は、図５に示す水切り板５２と図６に示す水受け容器５３とを溶接等で接合して、全体がステンレス鋼等の金属板製で扁平容器状に形成されている。水切り板５２は、多数の水抜き用の貫通孔５２ａ（パンチング孔）を有する矩形状に形成されている。水受け容器５３は、矩形状の底部５３ａと、底部５３ａの周縁に沿って立ち上がる立ち上がり壁５３ｂと、長辺の立ち上がり壁５３ｂの上縁から外側へ向けて底部５３ａと平行状（水平状）に一体形成されたフランジ部５１（鍔部）とを有する。水切り板５２の外周部は、水受け容器５３のフランジ部５１と接合されてフランジ部５１の一部をなす。有孔棚５０は、規格化領域Ｒ１にセットされ、食器・調理用鍋等の比較的重量のある台所用品を載置して水切り保持するために使用される（図１参照）。なお、図５に示す５２ｂは、水受け容器５３に溜まった水を捨てるときの排水孔である。
【００３１】
図７は、規格化棚パーツとしてのパイプ棚６０（すのこ状又は桟状の棚）を示すものである。パイプ棚６０は、上部枠６２と複数（例えば６個）のパイプ固定部６３とを、両端のパイプ固定部６３で各丸パイプ６４を保持しつつ、溶接等で接合して、全体がステンレス鋼等の金属板製で構成されている。上部枠６２は、外周部が矩形枠状のフランジ部６１に形成され、左右端部にはフランジ部６１から下方に垂下する立ち下がり壁６２ａと、立ち下がり壁６２ａの下縁から外側へ向けてフランジ部６１と平行状（水平状）に一体形成された鍔部６２ｂとを有している。パイプ固定部６３は、立ち下がり壁６２ａの内面側に配置されたキャップソケット６３ａと、キャップソケット６３ａを立ち下がり壁６２ａに固着するためのねじ６３ｂ（取付部材）、座金６３ｃ、六角ナット６３ｄ等を含む（図７（ｄ））。丸パイプ６４は、その先端部がキャップソケット６３ａに挿入されている。
【００３２】
なお、上部枠６２（フランジ部６１）の内側隅部には、フランジ部６１の４辺が互いに直交状態を保つように、半円状の切欠６１ａがそれぞれ形成されている（図７（ｅ））。パイプ棚６０は、規格化領域Ｒ１にセットして、お玉のような調理用小物・布巾等の台所用品をパイプ６４に吊り下げたり引掛けたりして保持するために使用される（図１参照）。
【００３３】
図８は、非規格化棚パーツとしての補助棚７０を示すものである。補助棚７０は、上部板７２と下部板７３とを連結板７４で連結し相互に溶接等で接合して、全体がステンレス鋼等の金属板製で扁平容器状に形成されている。上部板７２は、外周部にフランジ部７１を有する矩形状に形成されている。下部板７３は矩形状に形成され、底面視で１つの短辺が上部板７２と一致し、残る３つの辺が上部板７２の内側に位置している（図８（ｃ））。連結板７４は、下部板７３に沿う底部７４ａと、底部７４ａの周縁に沿って立ち上がる立ち上がり壁７４ｂと、立ち上がり壁７４ｂの上縁から外側へ向けて底部７４ａと平行状（水平状）に一体形成された鍔部７４ｃとを有する。連結板７４の鍔部７４ｃは、上部板７２のフランジ部７１と接合・密閉されてフランジ部７１の一部をなす。
【００３４】
下部板７３では、大径アール部（帯板２０の折り曲げ部に相当；図３（ａ）参照）を形成する角部Ｘが、立ち上がり壁７４ｂよりも外方で上部板７２のフランジ部７１外縁と一致するまで突出して突出部７３ａを形成している（図８（ｃ）（ｅ））。突出部７３ａが帯板側角パイプ２１の端部（図３（ａ）参照）と係合することによって、帯板２０の折り曲げ部（角部Ｘ）に対する補助棚７０の浮き上がりが防止される。補助棚７０は、ループ状棚受領域Ｒの左右両端部（非規格化領域Ｒ２）にセットされ、規格化領域Ｒ１の範囲外の領域を埋めるために使用される（図１参照）。もちろん、調味料・食材等の比較的重量のある台所用品を載置して保持するために使用してもよい。
【００３５】
図９は、図３（ｃ）に代わるパネル側中空状フレーム１４の取付構造を示す。図９では、固定ねじ１３’は、頭部がパネル側中空状フレーム１４の前方側の壁部１４ｂに保持されるとともに、前方側及び後方側の壁部１４ｂ，１４ａとパネル部１０とを貫通して壁面Ｗに締付・固定されている。固定ねじ１３’の頭部で前方側の壁部１４ｂが塞がれるので、パネル側角パイプ１４の内部（中空部）へのごみ等の侵入を防止できる。なお、図９において図３（ｃ）と共通する機能を有する部分には同一の符号を付して説明を省略する。
【００３６】
次に、図１０に台所用棚支持枠の構成例を示す。図１０（ａ）に示すように、台所用棚支持枠１００のパネル部１０では、左右方向の幅Ｍ及び上下方向の高さＨが、流し台１（図１参照）の大きさ等に応じて適宜設定される。また、左右の連結部３０，３０とループ状に延出するフレーム部２０との上下方向の連結位置の高さＨ１やフレーム部２０の前方側への突出量Ｄを適宜設定することができる。したがって、図１０（ｂ）に示す台所用棚支持枠１１０のように、フレーム部２０を連結部３０，３０の上下方向端部（例えば上端部）からＬ字状に延出させてもよい。さらに、図１０（ｃ）に示す台所用棚支持枠１２０のように、連結部３０，３０から複数（例えば２本）のフレーム部２０を延出させてもよい。
【００３７】
図１１は、このような台所用棚支持枠１００，１１０，１２０の壁面Ｗへの配置例を示す。図１１のように流し台１０１の給水栓１０１ａ，１０１ａが天板部１０２から上方に長く延びるタイプでは、給水栓１０１ａ，１０１ａの後方側の壁面Ｗに高さＨが大の台所用棚支持枠１１０Ａを固定し、給水栓１０１ａ，１０１ａの左右後方には高さＨが台所用棚支持枠１１０Ａの約１／２の台所用棚支持枠１１０Ｂを各々２段重ねで固定できる。なお、天板部１０２よりも下方及び天井近傍の壁面Ｗにはパネル部１０が固定されている。このように、天板部１０２上に突出物等が存在する壁面Ｗにはパネル部１０のみを固定し、突出物等が存在しない壁面Ｗには台所用棚支持枠１００，１１０，１２０等を固定することによって、台所の配置に合わせて台所用棚支持枠（台所用棚ユニット）を設置することができる。
【００３８】
以上の説明では、棚パーツとして、無孔棚４０，有孔棚５０，パイプ棚６０及び補助棚７０の４種類を挙げたが、これ以外の各種の棚パーツを使用し得ることはもちろんである。また、規格化領域Ｒ１の区画数についても、３区画以外に２区画以下あるいは４区画以上とすることもできる。さらに、規格化領域Ｒ１の両側に形成される非規格化領域Ｒ２の左右幅を異ならせてもよいし、非規格化領域Ｒ２を規格化領域Ｒ１の片側にのみ形成してもよい。なお、帯板側中空状フレーム２１，パネル側中空状フレーム１４，連結用中空状フレーム２２にはそれぞれ角パイプを用いたが、丸パイプはもちろん、コの字型・Ｈ型・Ｉ型等のアングル材を用いることもできる。
【図面の簡単な説明】
【００３９】
【図１】本発明に係る台所用棚支持枠を含む台所用棚ユニットの一例を示す斜視図。
【図２】台所用棚支持枠を示す図。
【図３】図２のＡ部詳細図、Ｂ部詳細図及びＣ−Ｃ断面図。
【図４】規格化棚パーツの１つである無孔棚を示す図。
【図５】規格化棚パーツの１つである有孔棚に用いられる水切り板を示す図。
【図６】規格化棚パーツの１つである有孔棚に用いられる水受け容器を示す図。
【図７】規格化棚パーツの１つであるパイプ棚を示す図。
【図８】非規格化棚パーツである補助棚を示す図。
【図９】図３（ｃ）のパネル側中空状フレーム取付構造の変形例を示す側面断面図。
【図１０】台所用棚支持枠の構成例を示す斜視図。
【図１１】台所用棚支持枠の壁面への配置例を示す正面図及び側面図。
【符号の説明】
【００４０】
１０    パネル部
１１    取付面
１３    固定ねじ（締結部材）
１４    パネル側角パイプ（パネル側中空状フレーム）
１５    貫通孔（切除部）
２０    帯板（フレーム部）
２１    帯板側角パイプ（帯板側中空状フレーム）
２２    連結角パイプ（連結用中空状フレーム）
３０    連結部（サイドエッジ部）
４０    無孔棚（孔なしの棚；規格化棚パーツ）
４１    フランジ部
５０    有孔棚（孔あきの棚；規格化棚パーツ）
５１    フランジ部
６０    パイプ棚（すのこ状又は桟状の棚；規格化棚パーツ）
６１    フランジ部
７０    補助棚（非規格化棚パーツ）
７１    フランジ部
１００  台所用棚支持枠
２００  台所用棚ユニット
Ｒ      ループ状棚受領域
Ｒ１    規格化領域
Ｒ２    非規格化領域
【図１】
2005312817.tif 000003
【図２】
2005312817.tif 000004
【図３】
2005312817.tif 000005
【図４】
2005312817.tif 000006
【図５】
2005312817.tif 000007
【図６】
2005312817.tif 000008
【図７】
2005312817.tif 000009
【図８】
2005312817.tif 000010
【図９】
2005312817.tif 000011
【図１０】
2005312817.tif 000012
【図１１】
2005312817.tif 000013